(57)【要約】【課題】コンロ本体１の底面の前後左右の四隅に支持脚４が垂設され、コンロ本体の後部にガスホース１０を接続するホースエンド８が配置された卓上型ガスコンロにおいて、コンロ本体１の下にガスホース１０が入り込むことを防止できるようにする。【解決手段】コンロ本体１の後側の左右両隅の支持脚４，４間に、コンロ本体１の底面より下方にのびる突起部１１が設けられる。突起部の下端１１は支持脚４の下端と上下方向同一レベル又は支持脚４の下端よりガスホース１０の直径未満の距離だけ上方に位置する。【選択図】図１
2008057844.tif 000002
【特許請求の範囲】
【請求項１】
コンロ本体の底面の前後左右の四隅に支持脚が垂設され、コンロ本体の後部にガスホースを接続するホースエンドが配置された卓上型ガスコンロにおいて、
コンロ本体の後側の左右両隅の支持脚間に、コンロ本体の底面より下方にのびる突起部が設けられ、突起部の下端は支持脚の下端と上下方向同一レベル又は支持脚の下端よりガスホースの直径未満の距離だけ上方に位置することを特徴とする卓上型ガスコンロ。
【発明の詳細な説明】
【技術分野】
【０００１】
本発明は、主として台所のガス台上に載置して使用する卓上型ガスコンロに関する。
【背景技術】
【０００２】
卓上型ガスコンロは、コンロ本体の底面の前後左右の四隅に垂設した支持脚でガス台の上面に載置される。また、コンロ本体の後部には、左右一方に偏倚させてホースエンドが配置されている。そして、台所のガス台後側の壁面に設置したガスコンセントとホースエンドとをガスホースで接続している。
【０００３】
ここで、ホースエンドとガスコンセントとが左右反対位置にある場合、ガスホースはコンロ本体の後方にコンロ本体を横切るようにして配設される。そして、一般的にガスホースは弛みを付けて配設されるため、ガスコンセントとホースエンドとの間で垂れ下がったガスホースの部分がコンロ本体の後側の左右両隅の支持脚間においてコンロ本体の下に入り込み、ガスホースがコンロ本体内のグリル等の高温になる部分からの熱影響を受けてしまう可能性がある。尚、ガス台の上面とコンロ本体の底面との間の隙間がガスホースの直径より小さくなるように支持脚の長さを設定して、コンロ本体の下にガスホースが入り込むことを防止することも考えられる。然し、この手法は、ガス台がガスコンロからの熱影響を受けやすくなるため、現実的ではない。
【０００４】
そこで、従来、コンロ本体の背面板に上方と下方への切起しを横方向に交互に形成し、これら切起しでガスホースの支持部を構成した卓上型ガスコンロが知られている（特許文献１参照）。これによれば、ガスホースが垂れ下がらず、コンロ本体の下にガスホースが入り込むことを防止できる。
【０００５】
ところで、ガス台の清掃を行う際にはガスコンロを動かすことが必要になるが、上記従来例のものでは、コンロ本体に支持部を介してガスホースが連結された状態になるため、ガスコンロの移動がガスホースによって拘束される。従って、ガス台の清掃等でガスコンロを動かす際には、ガスホースを支持部から外すことが必要になり、作業が面倒になる。また、清掃後に支持部にガスホースを装着し忘れて、ガスホースがコンロ本体の下に入り込んでしまうこともある。
【特許文献１】実開昭６０−９６５０４号公報
【発明の開示】
【発明が解決しようとする課題】
【０００６】
本発明は、以上の点に鑑み、コンロ本体にガスホースの支持部を設けることなく、コンロ本体の下にガスホースが入り込むことを防止できるようにした卓上型ガスコンロを提供することをその課題としている。
【課題を解決するための手段】
【０００７】
上記課題を解決するために、本発明は、コンロ本体の底面の前後左右の四隅に支持脚が垂設され、コンロ本体の後部にガスホースを接続するホースエンドが配置された卓上型ガスコンロにおいて、コンロ本体の後側の左右両隅の支持脚間に、コンロ本体の底面より下方にのびる突起部が設けられ、突起部の下端は支持脚の下端と上下方向同一レベル又は支持脚の下端よりガスホースの直径未満の距離だけ上方に位置することを特徴とする。
【０００８】
本発明によれば、卓上型ガスコンロを支持脚において載置するガス台の上面と突起部の下端との間の隙間はガスホースの直径よりも小さくなる。そのため、コンロ本体の後側の左右両隅の支持脚間においてガスホースがコンロ本体の下に入り込むことを突起部で防止することができる。また、コンロ本体にガスホースの支持部を設けるものと異なり、ガスコンロの移動がガスホースによって拘束されることはない。従って、ガスホースを弄ることなくガスコンロを動かしてガス台の清掃を行うことができ、使い勝手が良好になる。
【発明を実施するための最良の形態】
【０００９】
図１を参照して、１は卓上型ガスコンロのコンロ本体を示している。コンロ本体１は上面が開放された箱形に形成されており、コンロ本体１の上面に天板２が装着されている。また、コンロ本体１の底面は周辺の枠部３（図２参照）を残して開口されている。コンロ本体１の底面の前後左右の四隅には、枠部３に固定される支持脚４が垂設され、台所のガス台（図示せず）の上面にガスコンロがこれら支持脚４において載置されるようにしている。
【００１０】
コンロ本体１には、左右一対のガスバーナ５，５とグリル（図示せず）とが設けられている。そして、天板２に各ガスバーナ５を臨ませるバーナ用開口を開設し、天板２上に各バーナ用開口を囲うようにして五徳６が載置されている。また、天板２の後部には、グリル用の排気口が開設され、天板２上に排気口を覆う排気ガード７が載置されている。
【００１１】
コンロ本体１の後部には、左右一方に偏倚させて、各ガスバーナ５やグリル用バーナに配管接続されるホースエンド８が設けられている。ホースエンド８は、コンロ本体１の背面板９に開設した窓穴９ａを通して背面板９の後方に突出している。そして、台所のガス台後側の壁面に設置されるガスコンセント（図示せず）に一端を接続したガスホース１０の他端をホースエンド８に接続して、ガスコンロにガスを供給する。
【００１２】
ここで、ホースエンド８とガスコンセントとが左右反対位置にある場合、ガスホース１０はコンロ本体１の後方にコンロ本体１を横切るようにして配設される。そして、一般的にガスホース１０はキンク（ガスホース１０が潰れるようにして屈曲する現象）を生じないように弛みを付けて配設される。そのため、ガスコンセントとホースエンド８との間で垂れ下がったガスホース１０の部分がコンロ本体１の後側の左右両隅の支持脚４，４間においてコンロ本体１の下に入り込み、ガスホース１０がコンロ本体１内のグリル等の高温になる部分からの熱影響を受けてしまう可能性がある。
【００１３】
そこで、本実施形態では、コンロ本体１の後側の左右両隅の支持脚４，４間に、コンロ本体１の底面より下方にのびる左右２個の突起部１１，１１を設けている。各突起部１１は、図２に示す如く、樹脂製のハーネス用クリップ（市販品）で構成されており、コンロ本体１の底面の後辺部分の枠部３に係着されている。
【００１４】
ここで、突起部１１の下端は支持脚４の下端より上方に位置するが、突起部１１の下端と支持脚４の下端との間の上下方向距離Ｌはガスホース１０の直径より小さくなっている。そのため、ガスホース１０がコンロ本体１の下に入り込むことを突起部１１により防止することができる。
【００１５】
また、コンロ本体１の背面板９にガスホース用の支持部を設けるものと異なり、コンロ本体１の移動がガスホース１０で拘束されることはない。従って、ガスホース１０を支持部から外す等の面倒な作業を行わずに、ガスコンロを動かしてガス台の清掃を行うことができ、使い勝手が良好になる。
【００１６】
次に、図３に示す第２実施形態について説明する。第２実施形態においても、コンロ本体１の後側の左右両隅の支持脚４，４間に、上記第１実施形態と同様に左右２個の突起部１１，１１を設けている。但し、第２実施形態では、突起部１１を支持脚４と同一の部材で構成している。そのため、突起部１１の下端は支持脚４の下端と上下方向同一レベルに位置する。当然のことながら、第２実施形態においても、ガスホース１０がコンロ本体１の下に入り込むことを突起部１１により防止できる。
【００１７】
以上、本発明の実施形態について図面を参照して説明したが、本発明はこれに限定されない。例えば、上記実施形態では、コンロ本体１の後側の左右両隅の支持脚４，４間に左右２個の突起部１１，１１を設けたが、突起部１１の数は１個又は３個以上であっても良い。また、コンロ本体１の底面の後辺部分の枠部３に下方に突出するボス部をプレス成形し、このボス部で突起部１１を構成することも可能である。
【図面の簡単な説明】
【００１８】
【図１】本発明の第１実施形態の卓上型ガスコンロの斜め後方から見た斜視図。
【図２】図１のＩＩ−ＩＩ線で切断した要部の段面図。
【図３】第２実施形態の卓上型ガスコンロの背面図。
【符号の説明】
【００１９】
１…コンロ本体、４…支持脚、８…ホースエンド、１０…ガスホース、１１…突起部。
【図１】
2008057844.tif 000003
【図２】
2008057844.tif 000004
【図３】
2008057844.tif 000005